Podtech/llm-jp-corpus-v4-ja_patent huggingface dataset:
(57)【要約】      （修正有）【課題】就寝中の肩の冷えを防止する掛け蒲団又は毛布を提供する。【解決手段】本考案は、クリ部を設けたため、肩の部分にも蒲団がかかり冷えを防止する。【選択図】図１
0003203401.tif 000002
【実用新案登録請求の範囲】
【請求項１】
掛蒲団及び、毛布の形状に関する案件
【考案の詳細な説明】
【技術分野】本考案は、掛蒲団及び毛布にクリ部を設けた
【背景技術】冬場、エアコンの室内では必要ないが、そうでない場合肩の冷えで目が覚める
【問題を解決するための手段】
本考案は、掛蒲団及び毛布にクリ部を設け図示のように肩に蒲団及び毛布が掛るように使用し、就寝中の肩の冷えを防止する
【図１】
0003203401.tif 000003
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
クリ部を設けた事を特徴とする掛け蒲団又は毛布
【手続補正２】
【補正対象書類名】明細書
【補正対象項目名】全文
【補正方法】変更
【補正の内容】
【考案の詳細な説明】
【技術分野】
【０００１】本考案は、掛け蒲団又は毛布にクリ部を設けた
【背景技術】
【０００２】冬場エアコンの室内では必要ないが、そうでない場合肩の冷えで目が覚める
【問題を解決するための手段】
【０００３】本考案は、掛け蒲団又は毛布にクリ部を設け図示のように肩に蒲団又は毛布が掛るように使用し、就寝中の肩の冷えを防止する
【図面の簡単な説明】
【０００４】
【図１】掛け蒲団又は毛布の平面図及び側面図
【考案を実施するための形態】
【０００５】本考案の長方形状の掛け蒲団又は毛布の肩があたる一辺にＵ字状のクリ部が形成されている
このクリ部によって人体の首から先の頭部のみが掛け蒲団から露出し肩を含めた体掛け蒲団に被われるための肩の冷えを防ぐ事が出来る
【手続補正４】
【補正対象書類名】図面
【補正対象項目名】全図
【補正方法】変更
【補正の内容】
【図１】
0003203401.tif 000004
(57)【要約】      （修正有）【課題】様々なサイズの本に対応し、耐久性にすぐれデザインを変更できるフリーサイズブックカバーを提供する。【解決手段】一枚若しくは複数枚を繋げ、一枚にした布地を横長の筒状の形にして両サイドの開口部４を本の表紙や裏表紙の差し込み口とし、ブックカバー上部２、若しくはブックカバー下部３、若しくはブックカバー上部２とブックカバー下部３の両方をＶ字に折り込んだり、折り曲げるだけで留め具を使用せずに様々なサイズの本に装着することを可能とした。筒状の布地の位置を縦に回転させることで表面になる色や柄の位置を変えられ好みのデザインを自分で作ることが出来る。【選択図】図１
0003203402.tif 000002
【実用新案登録請求の範囲】
【請求項１】
本を覆う本体の素材は布地とし、横長の筒状で両サイドが開口した形状とする。
カバーの上部や下部をＶ字に折り込んだり、折り曲げることで本の縦のサイズに調整し、両サイドの開口部に表紙や裏表紙を差し込むことで様々なサイズの本に装着可能とした。
【請求項２】
布を一枚若しくは複数枚繋げて一枚とした布地で、横長の筒状の形を作り縦方向に回転させることで、ブックカバーの表面の色や柄を変えることが出来る請求項１のフリーサイズブックカバー。
【考案の詳細な説明】
【技術分野】
【０００１】  本考案は様々なサイズの本に対応し、繰り返し使用することが出来、デザインに変化を持たせることが出来るブックカバーである。
【背景技術】
【０００２】  従来の物は、一枚の平面な布や紙を折ったりマジックテープや粘着性の物で折り目を止めて、本を覆う物が主流である。
【考案の概要】
【考案が解決しようとする課題】
【０００３】  文庫サイズのブックカバーは、種類豊富に市場に出て利用者の選択の幅が広いのに対してフリーサイズのブックカバーは種類が少なく、高価な物が主流です。
紙製の物は繰り返し折ることで折り目が付き、持久性が弱く永く使用するには不向きである。皮や伸縮性の素材などで作られた物は汚れたときに気軽に洗うことが出来ない。布地をたたんで本をくるむ物もあるがマジックテープなど留め具を使用して様々なサイズの本に装着出来るが、決められた位置でしかサイズ調整が出来ないため常にデザインは一通りである。
【課題を解決するための手段】
【０００４】  そこで本考案は布地を横長の筒状の形にしてブックカバー上部２、若しくはブックカバー下部３、若しくはブックカバー上部２とブックカバー下部３の両方を図２の様にＶ字に折り込んだり、折り返すことで本の縦のサイズに合わせ４の開口部を差し込み口とし、表紙や裏表紙を差し込むことで様々な本のサイズに装着することを可能とした。本体１を一枚若しくは複数枚の布地で作ることで筒状の布地を縦に回転させ、色や柄を自分の好みの位置で本に装着出来るようにした。
【考案の効果】
【０００５】  布地を横長の筒状にすることで両サイドに表紙や裏表紙を差し込む差し込み口が出来、本の縦の長さに合わせて布地をＶ字に折り込む若しくは折り曲げるだけで留め具を必要とせず様々なサイズの本に装着することを可能とした。
一枚若しくは複数枚の色や柄で作られた筒状のブックカバーは表面の位置を変えることで多彩なデザインを楽しめる。
【図面の簡単な説明】
【０００６】
【図１】  本考案の平面図である。
【図２】  本の縦のサイズにカバーを合わせる手段の一例
【符号の説明】
【０００７】１  ブックカバー本体
２  ブックカバー上部
３  ブックカバー下部
４  本の表紙や裏表紙を差し込む開口部
５  本
【図１】
0003203402.tif 000003
【図２】
0003203402.tif 000004
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
本を覆う本体の素材は布地とし、横長の筒状で両サイドが開口した形状であり、カバーの上部や下部をＶ字に折り込んだり、折り曲げることで本の縦のサイズに調整し、両サイドの開口部に表紙や裏表紙を差し込むことで様々なサイズの本に装着可能としたフリーサイズブックカバー。
【請求項２】
布を一枚若しくは複数枚繋げて一枚とした布地で、横長の筒状の形を作り縦方向に回転させることで、ブックカバーの表面の色や柄を変えることが出来る請求項１のフリーサイズブックカバー。
(57)【要約】      （修正有）【課題】音の出る砂利等の突起物の拡散を防止し表面に出やすくし、音の減少を防ぐ音嗚る角出る嫌厭袋を提供する。【解決手段】音の出やすい砂利、又は、金平糖状態の尖がりのあるプラスチックを網目状の袋に入れる。形状は自在に出来る。【選択図】図１
0003203404.tif 000002
【実用新案登録請求の範囲】
【請求項１】
網目状の袋入りの音の出やすい砂利や、金平糖状態の尖がりのあるプラスチックなど。
【考案の詳細な説明】
【技術分野】
【０００１】  本考案は、音の出る砂利を網状の袋に入れる事により、砂利の拡散を防ぎ、且つ音が減少しないようにしたことです。
【背景技術】
【０００２】    砂利は、囲いのない状態では散らばってしまう。そして簡単に地面に埋まってしまう。袋の中に入れることによりそれらを防止でき、音の減少も防げる。
【考案の概要】
【考案が解決しようとする課題】
【０００３】  動物、人の田畑、庭等への侵入。
【課題を解決するための手段】
【０００４】  動物は、音をさせると自分の位置を知られてしまう。無視することは、敵の音かもしれないのでそれは出来ないと考えられます。人（悪意のある人）も同様。よって音を出しつつ進む事ができなくなる。移動すると音が出るようにすることである。
【考案の効果】
【０００５】  動物、人の侵入を防ぐ事による作物、家財への損害の減少。
【図面の簡単な説明】
【０００６】
【図１】  本考案の実施例を示す１例図です。
【考案を実施するための形態】
【０００７】  砂利が、拡散しないで音が減少しなければ、形は特定されない。
【実施例】
【０００８】  以下、添付図面に従って一例を説明する。１が網目状の袋である。四角く立体的になっていればなお結構である。２は、音がする砂利等である。
【符号の説明】
【０００９】  １  網目状の袋
２  音がする砂利等
【図１】
0003203404.tif 000003
【手続補正書】
【提出日】平成28年1月14日(2016.1.14)
【手続補正１】
【補正対象書類名】実用新案登録請求の範囲
【補正対象項目名】全文
【補正方法】変更
【補正の内容】
【実用新案登録請求の範囲】
【請求項１】
音の出やすい砂利、又は、金平糖状態の尖がりのあるプラスチックを網目状の袋に入れることにより、音や突起状の物が表面に出やすくなる特徴を持つ、音嗚る角出る嫌厭袋。
(57)【要約】      （修正有）【課題】髪の毛を傷みにくくカールすることができるヘアカーラーを提供する。【解決手段】植物油を入れたマイクロカプセルを付着させたヘアカーラーは、髪の毛が植物油でコーティングされるので、髪の毛の水分の蒸発を防ぎ、髪の毛が傷むのを防ぐ。【選択図】図１
0003203431.tif 000002
【実用新案登録請求の範囲】
【請求項１】
毛髪を巻いてカールするヘアカーラーで、植物油を入れたマイクロカプセルを付着させた事を特徴とするヘアカーラー。
【考案の詳細な説明】
【技術分野】
【０００１】本考案は毛髪を巻いてカールさせるためのヘアカーラーに関するものである。
【背景技術】
【０００２】従来のヘアカーラーは外側にナイロンパイルシートを巻いたものや、プラスチックコアにスポンジ体を巻いたものがある。
【考案の開示】
【考案が解決しようとする課題】
【０００３】従来のヘアカーラーと比べて  髪の毛を保護することを課題とする。
【課題を解決するための手段】
【０００４】〔図１〕のヘアカーラーに植物油をいれたマイクロカプセルを付着させた本考案のヘアカーラーを提供する。
【考案の効果】
【０００５】本考案のヘアカーラー〔図１〕髪をカールする際にマイクロカプセルから植物油が出て  髪の毛の表面にコーティングするので  乾燥を防ぎ、髪を保護する。
【実施例】
【０００６】〔図２〕が本考案のヘアカーラーの使用例で  マイクロカプセルより出た植物油が  髪をカールする際に  髪の毛をコーティングする。
【産業上の利用可能性】
【０００７】本考案〔図１〕〔図２〕のヘアカーラーは  髪をカールする際にマイクロカプセルより出た植物油が  髪の毛をコーティングするので  髪の毛の水分の蒸発を防ぎ、髪の毛を傷みにくくする。
【図面の簡単な説明】
【０００８】
【図１】本考案の植物油を入れたマイクロカプセルを付着させたヘアカーラー
【図２】本考案のヘアカーラーで髪を巻いた状態
【図１】
0003203431.tif 000003
【図２】
0003203431.tif 000004
(57)【要約】【課題】複数の木材の端材を容易かつ安価に集成してなるかまぼこ板を提供する。【解決手段】複数の木材の端材１ａ、１ｂ、１ｃ・・・をイソシアネート系木材接着剤３により水平方向に相互に接着集成し、表面を平滑にしてなるかまぼこ板。木材の端材１ａ、１ｂ、１ｃ・・・としては、例えば、日本産のモミの他、カナダ産、ドイツ産、ルーマニア産等のモミ、インドネシア産のメルクシパイン、中国産の沙松等の端材がある。表面を平滑にする作業は、一例としてベルトサンダーを用いて行う。【選択図】図１
0003203754.tif 000002
【実用新案登録請求の範囲】
【請求項１】
複数の木材の端材をイソシアネート系木材接着剤により水平方向に相互に接着集成し、表面を平滑にしてなるかまぼこ板。
【考案の詳細な説明】
【技術分野】
【０００１】
本考案は、かまぼこ板に関するものである。
【背景技術】
【０００２】
かまぼこは、一般に木製のかまぼこ板上に断面略半円形状に形成される。かまぼこ板は、かまぼこの持ち運びを容易ならしめ、木の香りがかまぼこの風味を向上させ、更には、かまぼこの水分を吸収し、かまぼこの防腐、防黴に役立つ等の理由により、従来より使用されている。
【０００３】
かまぼこ板としては、一般に、モミ等の木材を所定の寸法に切断してなるものが使用されているが、かまぼこ板上のかまぼこが食された後は、かまぼこ板自体は廃棄されるものである。
【０００４】
そこで、かまぼこが食された後に廃棄されるかまぼこ板の製造コストを削減するために、特開平２−１３５０７５号公報は、規定寸法に満たない複数の板材をキトサンにより接着集成し、これを規定寸法に仕上げ加工してなるかまぼこ板（以下「従来のかまぼこ板」という。）を提供している。
【先行技術文献】
【特許文献】
【０００５】
【特許文献１】特開平２−１３５０７５号公報
【考案の概要】
【考案が解決しようとする課題】
【０００６】
上記従来のかまぼこ板は、複数の板材をキトサンにより相互に接着しているのであるが、キトサンは固くて伸びがなく、溶解性に劣る等の問題があると言われている。したがって、キトサンは複数の板材を相互に接着してかまぼこ板を形成するための接着剤としては必ずしも好ましくない。
【０００７】
本考案は、上記従来のかまぼこ板における上述の問題を解決し、複数の木材の端材を容易かつ安価に集成してなるかまぼこ板を提供しようとしてなされたものである。
【課題を解決するための手段】
【０００８】
上記課題を解決するために、本考案は、下記のかまぼこ板を提供するものである。
【０００９】
（１）複数の木材の端材をイソシアネート系木材接着剤により水平方向に相互に接着集成し、表面を平滑にしてなるかまぼこ板（請求項１）。
【００１０】
本考案において、「水平方向に相互に接着」とは、複数の木材の端材を、上下方向（厚み方向）に積み重ねることなく、幅方向及び／又は長さ方向につなぎ合わせて接着することを意味するものとする。
【考案の効果】
【００１１】
本考案によるかまぼこ板は、通常廃棄され、あるいは燃料として用いられる複数の木材の端材を集成してなるものであるため、極めて安価に製造することができる。また、複数の木材の端材を相互に接着するための接着剤としてイソシアネート系木材接着剤を使用しているため、接着作業が容易である。また、複数の木材の端材を水平方向に相互に接着するため、かまぼこの水分はかまぼこ板に円滑に吸収される。因みに、複数の木材の端材を上下方向（厚み方向）に積み重ねて接着する場合には、かまぼこ板内における端材と端材との間に水平方向の接着剤層が存在し、水分は該接着剤層を通過することができず、該接着剤層よりも下方の端材部分までは浸透しない。更に、本考案によるかまぼこ板は複数の木材の端材を集成してなるものであるが、その表面は平滑であるため、かまぼこ板として支障なく使用することができる。
【図面の簡単な説明】
【００１２】
【図１】図１は、本考案によるかまぼこ板の一例を示す斜視図である。
【図２】図２は、複数の木材の端材を水平方向に接着した状態（Ａ）とその表面を平滑にした状態（Ｂ）とを示す断面図である。
【図３】図３は、相互に接着した長尺の端材とその切断箇所を示す平面図である。
【図４】図４は、相互に接着した端材とその切断箇所を示す断面図である。
【図５】図５は、本考案によるかまぼこ板にかまぼこを取り付けた状態を示す側面図である。
【考案を実施するための形態】
【００１３】
本考案において用いられる木材の端材１ａ、１ｂ、１ｃ・・・としては、例えば、日本産のモミの他、カナダ産、ドイツ産、ルーマニア産等のモミ、インドネシア産のメルクシパイン、中国産の沙松等の端材がある。端材は、通常は廃棄され、あるいは燃料として用いられるものであるため、極めて安価に入手することができる。
【００１４】
本考案においては、複数の木材の端材１ａ、１ｂ、１ｃ・・・をイソシアネート系木材接着剤３により水平方向に相互に接着集成する。
【００１５】
イソシアネート系木材接着剤３は、イソシアネート化合物を主体とするものであって、例えば、分子内に少なくとも２つのイソシアネート基を有する室温で液状の化合物と、炭酸カルシウム粉末とコーンスターチと水とを配合してなる充填剤とを含むものである。
【００１６】
複数の木材の端材１ａ、１ｂ、１ｃ・・・をイソシアネート系木材接着剤３により水平方向に相互に接着集成した後、表面を平滑にしてかまぼこ板５とする。表面を平滑にする作業は、一例としてベルトサンダーを用いて行う。相互に接着した長尺の端材１ａ、１ｂ、１ｃ・・・の場合は、切断箇所Ａ、Ｂ・・・にて所定の長さに切断する（図３参照）。また、端材１ａ、１ｂ、１ｃ・・・を幅方向に広幅に接着した場合は、切断箇所Ｃ、Ｄ・・・にて所定の幅に切断する（図４参照）。
【００１７】
形成されるかまぼこ板５の寸法は、例えば、長さ１１０〜１２０ｍｍ、幅４０〜５４ｍｍ、厚さ８〜９ｍｍである。
【００１８】
このように形成されたかまぼこ板５の上面にかまぼこ７を取り付ける。かまぼこ７は、例えば、タラ類、サメ類、ベラ類等の白身魚を脱水・粉砕してでんぷん等を添加し、成形・加熱してなるものである。
【符号の説明】
【００１９】
１ａ  端材
１ｂ  端材
１ｃ  端材
１ｄ  端材
１ｅ  端材
１ｆ  端材
３  イソシアネート系木材接着剤
５  かまぼこ板
７  かまぼこ
【図１】
0003203754.tif 000003
【図２】
0003203754.tif 000004
【図３】
0003203754.tif 000005
【図４】
0003203754.tif 000006
【図５】
0003203754.tif 000007
(57)【要約】      （修正有）【課題】１回の献立に１群から６群の食品をすべて使用し、栄養素をバランスよく摂取できるようにし、生活習慣病を未然に防ぐ献立を作成できる表を提供する。【解決手段】縦枠を朝食・昼食・間食・夕食・夜食に分け、さらに、朝食・昼食・夕食を主食・主菜・副菜・果物・小鉢・汁物に分けた。横枠には、１群のたんぱく質、２群の無機質、３群の緑黄色野菜、４群のその他の野菜・果物、５群の穀類・いも類・砂糖、６群の油脂の６つの食品群の欄を設け、食品群別摂取量の目安と概量１人１日分を基準に、エネルギーや栄養素の量を示す食事摂取基準を満たす摂取ポイントと摂取グラムの欄を設けた。このように１群から６群すべての食品を摂取できる栄養所要量を満たした生活習慣病の予防につながる献立を作成する。【選択図】図１
0003203990.tif 000002
【実用新案登録請求の範囲】
【請求項１】
１・６つの食品群と食品群別摂取量の目安と概量１人１日分を基準に幼児編５歳前後１４００Ｋｃａｌ前後、青年編１６歳前後２５００Ｋｃａｌ前後、高齢者編６５歳前後２０００Ｋｃａｌ前後におけるそれぞれ１ヶ月の献立である。
２・１群は、魚・肉・卵の動物性、豆・豆製品の植物性のたんぱく質を多く含む食品、２群は、牛乳・乳製品・小魚・海藻の無機質、特にカルシウムを多く含む食品、３群は、中まで色が濃い緑黄色野菜のカロテンを多く含む食品、４群は、中の色がうすいその他の野菜・果物でビタミンＣを多く含む食品、５群は、穀類・いも類・砂糖の炭水化物を多く含む食品、６群は、バター・ラードなどの動物性、オリーブ油・ごま油などの植物性の油脂を多く含む食品である。
３・縦枠を朝食・昼食・間食・夕食・夜食に分け、さらに、朝食・昼食・夕食を主食・主菜・副菜・果物・小鉢・汁物に分けたものである。
４・横枠には、１群のたんぱく質、２群の無機質、３群の緑黄色野菜、４群のその他の野菜・果物、５群の穀類・いも類・砂糖、６群の油脂の６つの食品群の欄を設けた。
５・１回の献立に１群から６群の食品をすべて使用し、１回の献立に食品１０品目以上を使用し、合計１日３０品目以上の食品を使用し、栄養素をバランスよく摂取できるようにした。
【考案の詳細な説明】
【考案の詳細な説明】
【考案が解決しようとする課題】
【０００１】  従来、生活習慣病予防対策のための献立は数多く作成されているが、毎日の献立に１群から６群の食品をバランスよく使っている献立はあまり作成されておらず、また１回の献立に１群から６群の食品をすべて使用している献立は少ない。本考案の特徴として、１回の献立に１群から６群の食品をすべて使用し、さらに１回の献立に食品１０品目以上を使用し、合計１日３０品目以上の食品を使用している。また、栄養を完全にする卵と牛乳、免疫力を高め善玉菌を増やすことができるヨーグルトは毎日とりいれた。このようにすることで食品の偏りをなくし、栄養素をバランスよく摂取できるようにし、生活習慣病を未然に防ぐことができるようにしたものである。
【課題を解決するための手段】
【０００２】  上記目的を達成するために、縦枠を朝食・昼食・間食・夕食・夜食に分け、さらに、朝食・昼食・夕食を主食・主菜・副菜・果物・小鉢・汁物に分けた。
横枠には、１群のたんぱく質、２群の無機質、３群の緑黄色野菜、４群のその他の野菜・果物５群の穀類・いも類・砂糖、６群の油脂の６つの食品群の欄を設け、食品群別摂取量の目安と概量１人１日分を基準に摂取ポイントと摂取グラムの欄を設けた。
【考案の効果】
【０００３】  毎回１群から６群の食品をすべて摂取することで、食品の偏りがなくなり、栄養素のバランスもよくなり生活習慣病を未然に防ぐことができ、栄養改善や予防につながるものである。
【図面の簡単な説明】
【０００４】
【図１】  生活習慣病の予防ができる６群を使ったバランスのとれた青年編の献立の図である。
【図２】  生活習慣病の予防ができる６群を使ったバランスのとれた高齢者編の献立の図である。
【図３】  生活習慣病の予防ができる６群を使ったバランスのとれた幼児編の献立の図である。
【図１】
0003203990.tif 000003
【図２】
0003203990.tif 000004
【図３】
0003203990.tif 000005
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
生活習慣病の予防ができる６群を使ったバランスのとれた献立を作成することができる表において、
（１）６つの食品群の枠を設け、１群はたんぱく質、２群は無機質、３群は緑黄色野菜、４群は淡色野菜・果物、５群は穀類・いも類・砂糖、６群は油脂の食品群別摂取量の目安と概量一人一日分が記入できるようにし、
（２）朝食・昼食・間食・夕食・夜食の枠を設け、さらに朝食・昼食・夕食を主食・主菜・副菜・果物・小鉢・汁物に分け、１回の献立に１群から６群の食品をすべて使用し、１回の献立に食品１０品目以上、合計１日３０品目以上の食品が記入できるようにし、栄養素をバランスよく摂取できるようにした表であり、
（３）幼児編５歳前後１４００Ｋｃａｌ前後、青年編１６歳前後２５００Ｋｃａｌ前後、高齢者編６５歳前後２０００Ｋｃａｌ前後の表を設けたもので、
以上の（１）〜（３）からなる生活習慣病の予防ができる６群を使ったバランスのとれた献立を作成することができる表。
(57)【要約】      （修正有）【課題】ペットを追慕し、哀悼し、追悼するための用具であり、現代の生活様式、サイズに合わせ、コンパクトな形状に収めたペットメモリアルプレートを提供する。【解決方法】立て掛けて置くことができる、またはフックで吊り下げて飾ることができる箱状のものであり、手形１、遺毛２、遺灰（骨）３、写真４入り箱５、生年月日、命日が記された名前プレート６、を有する。【選択図】図２
0003203987.tif 000002
【実用新案登録請求の範囲】
【請求項１】
立て掛けて置くことができる、またはフックで吊り下げて飾ることができる形状のもので  手形１、遺毛２、遺灰（骨）３、  写真４入り箱５、生年月日、命日が記された名前プレート６  を有しているフレームであればいかなる形状のフレームでもこれを良しとする
【請求項２】
手形１、遺毛２、遺灰（骨）３、  写真４入り箱５
生年月日、命日が記された名前プレート６がひとつのフレームの中に配置されておれば  いかなる配置であってもこれを良しとする
【請求項３】
フレーム等いかなる色彩でもこれを良しとする
【請求項４】
犬．猫、その他のペット（愛玩動物）を対象とするものである。
【考案の詳細な説明】
【考案の概要】
従来の課題は、愛犬、愛猫を失った飼い主の深い嘆き、悲しみや喪失感を埋め慰め、癒すものとして、思い出の生前写真やビデオぐらいしかなかった点にある。
また供養物としても  大きいサイズでかつ古いデザインのものばかりで、現代の生活パターンにそぐわない点である
【考案が解決しようとする課題】いかにして長年愛してきた動物の生きていた『証』をコンパクトにまとめるか。
また日本人家庭のリビングルームに置いて邪魔にならないサイズ、デザインのフレームを使用するか。
【課題を解決するための手段】１．  サイズ−  現代日本人家庭のリビングルームに置く、もしくはフックで吊るして飾ることができるサイズ、形状のフレームを使用する。
（今回のサイズ  縦３８．５センチ  横  ２４センチ、厚み５センチ）
２．  生きていた『証』の採取
動物が亡くなり、火葬する前に、手形１と毛髪２の採取。
手形は  焼石膏とメジ目材を合わせた粉を水で溶き  型に流しいれ、手形を取る。十分に乾燥したのちに着色。
毛髪のカット。
火葬が終わったのちに  小さな遺骨３を採取。
遺毛２、遺骨３、はプラスチック窓付きの木片にはめ込む。
お気に入りの写真４を写真箱のガラスの下に入れ、写真箱５の中には動物の遺骨もしくは生きていた頃の愛用品などの収納ができる。
最後に名前と生年月日、命日が記されたプレート６を
上記１．フレームの形状に合わせた配置で  これら１から６を並べる。
【図面の簡単な説明】
【図１】全体図  （６方向からの図）
【図２】表からの図（写真入れを開けた時）
【符号の説明】１、  手形
２、  遺毛
３、  遺骨
４、  写真
５、  写真付き箱
６、  生年月日、命日が記された名前プレート
【図１】
0003203987.tif 000003
【図２】
0003203987.tif 000004
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
立て掛けて置くことができる、またはフックで吊り下げて飾ることができる箱状のものであり、手形１、遺毛２、遺灰（骨）３、写真４入り箱５、生年月日、命日が記された名前プレート６、を有するペットメモリアルプレート。
【請求項２】
手形１、遺毛２、遺灰（骨）３、写真４入りの箱５、生年月日、命日が記された名前プレート６、がいかなる配置であれ、ひとつのフレームの中に有するペットメモリアルプレート。
【請求項３】
ペットメモリアルプレートがいかなる形状であっても、色彩であっても、手形１、遺毛２、遺灰（骨）３、写真４入り箱５、生年月日、命日が記された名前プレート６、を有しているフレーム。
【請求項４】
犬、猫、その他のペット（愛玩動物）を供養するためのペットメモリアルプレート。
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
立て掛けて置くことができる、またはフックで吊り下げて飾ることができる箱状のものであり、手形１、遺毛２、遺灰（骨）３、写真４入り箱５、生年月日、命日が記された名前プレート６、を有するペットメモリアルプレート。
【請求項２】
手形１、遺毛２、遺灰（骨）３、写真４入りの箱５、生年月日、命日が記された名前プレート６、がいかなる配置であれ、ひとつのフレームの中に有するペットメモリアルプレート。
【請求項３】
ペットメモリアルプレートがいかなる形状であっても、色彩であっても、手形１、遺毛２、遺灰（骨）３、写真４入り箱５、生年月日、命日が記された名前プレート６、を有しているペットメモリアルプレート。
【請求項４】
犬、猫、その他のペット（愛玩動物）を供養するための上記請求項１から３のいづれかを満たすペットメモリアルプレート。
(57)【要約】      （修正有）【課題】エアーチューブを利用し急勾配に変えることで無積雪屋根とし、リスクの高い雪降し作業をしなくても済むようにした屋根を提供する。【解決手段】既存屋根面上に棟部、屋根勾配および振れ止の各エアーチューブを配置し、その上に横受けパイプとシート受け勾配パイプを組み、各々のエアーチューブに圧縮空気を充填して、急勾配の屋根を構成し、除雪用シートで覆うことにより、無積雪の屋根に変える。【選択図】図２
0003203989.tif 000002
【実用新案登録請求の範囲】
【請求項１】
エアーチューブにより、屋根を急勾配に変えて無積雪にする屋根。
【考案の詳細な説明】
【技術分野】
【０００１】  本考案は、既存の屋根勾配をエアーチューブにより急勾配に変えることにより、無積雪にするものに関するものである。
【背景技術】
【０００２】  積雪の多い地域では、積雪があると崩壊等を防ぐために、やむなく人間の力などにより、屋根の上で雪降しをしているのが実情だった。
【考案の概要】
【考案が解決しようとする課題】
【０００３】  屋根に上っての人力による雪降しは、非常に危険であり、又、労働的負担も大きく、過去に数件もの人的災害が発生していた。
本考案は、上記の問題を解決しようとするものである。
【課題を解決するための手段】
【０００４】  既存屋根の形状寸法、及び勾配を現地で計測し、それにより計画図を作成する。
計画図を基に棟部エアーチューブ（１）屋根勾配エアーチューブ（２）及び振れ止めエアーチューブ（３）を工場にて製作する。
現場に於いて、計画図に合うように、エアーチューブ（１）（２）（３）を配置し横受けパイプ（４）、勾配パイプ（５）を組立、それぞれのエアーチューブにエアーホースを接続する。
コンプレッサーの圧縮空気を利用して、各々のエアーチューブに、空気を充填し、計画した屋根面を確保、全体を防雪用シート（７）で覆い固定する。
以上で既存屋根が無積雪屋根に改修されるのである。
【考案の効果】
【０００５】  エアーチューブを利用することで積雪前に短期間で急勾配の無積雪の屋根を構成することができ、リスクの高い雪降し等の作業をしなくても済むようになる。
雪解け後の春を待ってエアーチューブ（１）（２）（３）から上の勾配変更部分を撤去すると、改修前の建物屋根に復旧する。
【図面の簡単な説明】
【０００６】
【図１】  本考案で構成される屋根面の平面図である。
【図２】  本考案の屋根面の断面図である。
【図３】  本考案の屋根面の立面図である。
【図４】  本考案の棟部エアーチューブの立面図である。
【図５】  本考案の屋根勾配エアーチューブの立面図である。
【考案を実施するための形態】
【０００７】  現場で確認した既存建物の屋根の寸法、及び屋根勾配を基に計画図を作成し、それに基ずき、エアーチューブ（１）（２）（３）を工場で製作する。
現場に於いて、計画図に基ずき、エアーチューブ（１）（２）（３）を配置し、横受けパイプ（４）、勾配パイプ（５）を組立てる。
エアーチューブ（１）（２）（３）にエアーホース（６）を接続しコンプレッサーの圧縮空気を利用してエアーチューブに空気を充填し計画図通りの屋根面構成を確認したのち、全体を防雪用シート（７）で覆い固定する。
【実施例】
【０００８】  エアーチューブ（１）（２）（３）は添付図面の［図４］、［図５］のように、トラス形状にすることで、充填する空気量を少なく抑えられる。【０００９】  既存屋根の棟部に、上部を水平にしたエアーホース配管スペース（８）を設けて、棟部エアーチューブ（１）との接地面を水平にする。【００１０】  瓦棒葺き屋根の場合は、瓦棒の中間に屋根勾配エアーチューブ（２）を配置する。
【符号の説明】
【００１１】１  棟部エアーチューブ
２  屋根勾配エアーチューブ
３  振れ止エアーチューブ
４  横受けパイプ
５  シート受け勾配パイプ
６  エアーホース
７  防雪用シート
８  エアーホース配管スペース
【図１】
0003203989.tif 000003
【図２】
0003203989.tif 000004
【図３】
0003203989.tif 000005
【図４】
0003203989.tif 000006
【図５】
0003203989.tif 000007
【手続補正書】
【提出日】平成28年2月12日(2016.2.12)
【手続補正１】
【補正対象書類名】実用新案登録請求の範囲
【補正対象項目名】全文
【補正方法】変更
【補正の内容】
【実用新案登録請求の範囲】
【請求項１】
既存屋根の形状寸法、勾配を計測して計画図を作成、これを基に棟部エアーチューブ、勾配エアーチューブ及び振止めエアーチューブを製作し、既存屋根上に配置、その後横受けパイプ、勾配パイプを組立、それぞれのエアーチューブにコンプレッサーで圧縮空気を充填して、急勾配屋根面を構成全体を防雪用シートで覆う無積雪屋根
(57)【要約】【課題】寒冷地における屋内外設置の給湯器や給水栓等と接続されている管路Ａ或いは外傷を受けやすい環境におかれている管等には、発泡スチロールなどの断熱材Ｂやその他保護材で被覆した断熱・保護処理（被覆）が施されており、この被覆管路の表面（断熱材Ｂ等の表面）を保護する、施工性・耐久性に優れた新規な保護カバーを提供する。【解決手段】管路Ａの表面を断熱材Ｂや保護材で被覆している被覆管路に装着するものであって、装着対象の被覆管路の外周長に対応する幅で適宜な長さの細長ステンレス薄板が、端部が重なり装着対象の管路外径よりも小径のロール状に形成して保護カバーとする。【選択図】図２
0003203941.tif 000002
【実用新案登録請求の範囲】
【請求項１】
管表面を断熱材や保護材で被覆している被覆管路に装着するものであって、装着対象の被覆管路の外周長に対応する幅で適宜な長さの細長ステンレス薄板が、端部が重なり装着対象の管路外径よりも小径のロール状であることを特徴とする被覆管路の保護カバー。
【請求項２】
表面がつや消し仕上げである請求項１記載の被覆管路の保護カバー。
【請求項３】
ロール状の外側端部の内面に、接着部を設けてなる請求項１又は２記載の被覆管路の保護カバー。
【請求項４】
接着部が、粘着層の上面に保護剥離紙を設けたテープ状のものである請求項３記載の被覆管路の保護カバー。
【考案の詳細な説明】
【技術分野】
【０００１】
本考案は、管を断熱保温部材で被覆し、或いは管を外傷から守るために管を保護材で被覆しているこれらの被覆管路に使用する保護カバーに関するものである。
【背景技術】
【０００２】
寒冷地における屋内外設置の給湯器や給水栓等と接続されている給排水管や、冷凍機器に接続される冷媒管等には、断熱対策が施されている。断熱対策として一般的なのは、発泡スチロールなどの断熱材で被覆するもので、更に断熱材の表面を保護するために保護カバーが採用されている。また外傷を受けやすい環境にある管に対しては、管が傷つかないように保護材を装着して管を被覆している。
【０００３】
これらの被覆管路の保護カバーとして、例えば特許文献１（登録実用新案３１５２７４９号公報）には、原紙にアルミガラスクロスを接着した積層構造からなり、重ね合わせ部分の原紙側とアルミガラスクロス表面に化学反応形接着剤を塗布したものが示されている。
【０００４】
また特許文献２（登録実用新案３１５４３９６号公報）には、長方形状のステンレスなどの薄い長方形状の耐食性金属板からなる外装材が示されている。
【先行技術文献】
【特許文献】
【０００５】
【特許文献１】登録実用新案３１５２７４９号公報。
【特許文献２】登録実用新案３１５４３９６号公報。
【考案の概要】
【考案が解決しようとする課題】
【０００６】
特許文献１に示されているように柔軟性を備えている保護カバーは、装着対象の被覆管路に対しての確りと巻き付け、巻き付け状態を保持しながら、カバー端部箇所で接着しなければならない。而も堅牢性・耐久性に課題がある。
【０００７】
また特許文献２のように薄金属平板の外装材を採用すると、堅牢性・耐久性の課題は解決できるが、装着に際しては、被覆管路の表面に合わせて湾曲させ、当該湾曲反発弾性を抑えた状態で固着する必要があり、装着作業が煩瑣である。
【０００８】
そこで本発明は、堅牢性・耐久性に優れるとともに、装着作業が容易となる新規な被覆管路の保護カバーを提案したものである。
【課題を解決するための手段】
【０００９】
本考案の請求項１記載に係る被覆管路保護カバーは、管表面を断熱材や保護材で被覆している被覆管路に装着するものであって、装着対象の被覆管路の外周長に対応する幅で適宜な長さの細長ステンレス薄板が、端部が重なり装着対象の管路外径よりも小径のロール状であることを特徴とするものである。
【００１０】
而して前記カバーは、装着対象の被覆管路の管路外径よりも小径であるので、ロール状部分を拡げて被覆管路に被せると、弾性反発で保護カバーが被覆管路に巻き付くので、保護カバーを容易に装着できる。
【００１１】
また本考案の請求項２記載に係る被覆管路保護カバーは、特に表面をつや消し仕上げとしてなるもので、ミラー仕上げに比較して太陽光の反射光が抑えられる。
【００１２】
また本考案の請求項３，４記載に係る被覆管路保護カバーは、ロール状の外側端部の内面に接着部を設けてなるものであり、特に接着部を粘着層の上面に保護剥離紙を設けたテープ状の構造としたものである。従って保護カバーを被覆管路に巻き付かせた後に、剥離紙を剥いで粘着層を露出させると、被覆管路に巻きついた保護カバーの露出端縁が接着して、剥がれることが無い。
【考案の効果】
【００１３】
本考案の構成は上記のとおり、ロール状に形成したステンレス薄板（金属板）を保護カバーとして採用したものであるから、装着作業性に優れていると共に、堅牢性に優れたカバーを提供できたものである。
【図面の簡単な説明】
【００１４】
【図１】本考案の保護カバーの説明図で（イ）は一部斜視図（ロ）は端面図。
【図２】同使用状態の説明図（斜視図）。
【図３】同図（端面図）
【考案を実施するための形態】
【００１５】
次に本考案の実施形態について説明する。本考案の保護カバー１は、屋外設置の給湯器や給水栓等と接続されている管路Ａに、発泡スチロールなどの断熱材Ｂで被覆した被覆管路（断熱管路）の外面を保護するために、前記断熱材Ｂの外面に装着し、断熱材の損傷等を防止するものである。
【００１６】
この保護カバー１は、前記装着対象の被覆管路の外周長（前記断熱材Ｂの外径）に対応する幅で、適宜な長さの細長ステンレス薄板（ミラー仕上げ或いはつや消し仕上げ）を、端部が重なり装着対象の管路外径よりも小径のロール状（渦巻き状）に形成したものである。
【００１７】
更に前記保護カバー１のロール状の外側端縁１１の内面に、適宜幅で接着部２を設けたもので、前記接着部は、粘着層２１の上面に保護剥離紙２２を設けたテープ状としてなるものである。
【００１８】
而して前記保護カバー１は、ロール状に巻かれた状態から拡げ、装着対象の被覆管路（断熱材Ｂの表面）に被せると、金属板の弾性反発で保護カバー１が断熱材Ｂの表面に巻き付く。更に巻き付いた保護カバー１の端縁の内面の保護剥離紙２２を剥離して粘着層２１を露出させ、前記端縁１１部分を外面から押圧して内側に位置するカバー表面に接着させると、保護カバー１が端縁１１から剥がれることなく、管路に一体化され、断熱材Ｂの保護として機能するものである。
【００１９】
従って薄板であるので、管路長に対応して鋏で切断して、容易に長さ合わせができ、装着施工が容易であり、しかも紫外線を反射して断熱材の劣化を防止すると共に、耐久性にも優れた保護カバーとなるものである。
【符号の説明】
【００２０】
１      保護カバー
１１    端縁
２      接着部
２１    粘着層
２２    保護剥離紙
Ａ      管路
Ｂ      断熱材
【図１】
0003203941.tif 000003
【図２】
0003203941.tif 000004
【図３】
0003203941.tif 000005
(57)【要約】      （修正有）【課題】両面の看板を容易に差し替えることのできる立て型看板を提供する。【解決手段】間隔を置いた２個の重石１ａ，１ｂ上に２本の支柱２ａ，２ｂを植立し、これらの支柱の中間に支えレール４を張設し、芯材５を挟んで両面看板３ａ，３ｂを嵌め立て、被せレール６の着脱自在な被せ嵌めにて両面の看板の上端を支えるとともに、被せレールの外しにより両面の看板を別看板に差替え可能にする。【選択図】図２
0003203942.tif 000002
【実用新案登録請求の範囲】
【請求項１】
間隔を置いた２個の重石上に２本の支柱を植立し、これらの支柱の中間に支えレールを張設し、芯材を挟んで両面の看板を嵌め立て、被せレールの着脱自在な被せ嵌めにて両面の看板の上端を芯材ごと支えるとともに、被せレールの外しにより両面の看板を別看板に差替え可能としたことを特徴とする立て型看板。
【請求項２】
２本の支柱の上半を支えレールごと上下動調整して両面の看板の高さ位置を高低に調整する請求項１に記載の立て型看板。
【考案の詳細な説明】
【技術分野】
【０００１】
この考案は立て型看板、詳しくは看板を差し替えることのできる立て型看板に関するものである。
【背景技術】
【０００２】
この種の看板としては実開昭５２―３４６９２号公報がある。該公報は支柱に支えられた看板を記載している。
【先行技術文献】
【特許文献】
【０００３】
【特許文献１】実開昭５２―３４６９２号公報
【考案の概要】
【考案が解決しようとする課題】
【０００４】
しかしながら、上記の公報は支柱に看板を固定していて看板を差し替えることができないという課題がある。
【課題を解決するための手段】
【０００５】
本考案は、上側の被せレールを取外すことによって別看板に差し替えることができるようにして上記した課題を解決するようにしたのである。
【考案の効果】
【０００６】
本考案は、両面の看板を目的に合致した看板に至極簡単に差し替えることができるという効果を生ずる。
【０００７】
両面の看板は内部の芯材に当て支えられることで、膨らみ，へこみを含む歪みの発生を確実に防止されるという効果を生ずる。
【０００８】
２本の支柱を長短に調整可能とすることで、両面の看板の高さ位置を高低に調整することができるという効果を生ずる。
【図面の簡単な説明】
【０００９】
【図１】本考案の１実施例を示す斜視図
【図２】同、被せレールを外して看板をフリーにした状態を示す斜視図
【図３】差替え用の看板の数例を示す正面図
【図４】第２実施例を示すもので、（ａ）は未調整の状態、（ｂ）は高く調整した状態を示す斜視図
【考案を実施するための形態】
【００１０】
本考案は、間隔を置いた２個の重石上に立てられる２本の支柱の中間に断面を凹形とする支えレールを張設して、芯材を挟んだ両面に看板を嵌め立て、上端を逆さ凹形とする被せレールの被せ止めにて固定し、この被せレールを取外すことによって看板を差替え可能にする新規の立て型看板を構成する。
【実施例１】
【００１１】
図１乃至図３は本考案の第１実施例であって、部厚な円形または四角形をした重石１ａ，１ｂ上に四角柱形の支柱２ａ，２ｂを植立し、この支柱２ａ，２ｂを一定の間隔を置いて離し立て、この支柱２ａ，２ｂの中間に両面の看板３ａ，３ｂを嵌め支える断面を凹形とする支えレール４を張設する。支えレール４の両端は支柱２ａ，２ｂの外端まで伸びていて嵌め支える両面の看板３ａ，３ｂも支柱２ａ，２ｂの外端に到達する大きさとなっている。両面の看板３ａ，３ｂ間には芯材５が埋込まれていて両面の看板３ａ，３ｂに接面して両面の看板３ａ，３ｂの膨らみ，へこみを含む歪みの生ずることを防止するようにしている。
【００１２】
しかして両面の看板３ａ，３ｂの上端は芯材５とともに支柱２ａ，２ｂの上端と同一平面を形成していて、断面を逆さ凹形とする被せレール６の被せにて両面の看板３ａ，３ｂの上端を芯材５ごと被せ支えるようにしている。
【００１３】
この被せレール６は芯材５にネジ７止めして固定しており、図２に示すようにこのネジ７を弛るめ外して被せレール６を取り外すと、両面の看板３ａ，３ｂはフリーとなって、支柱２ａ，２ｂの一方側に引き外すなどして同形の他の両面の看板３ａ，３ｂに差し替えることができることとなる。図３は差替え用の別看板３ａ，３ｂの数例を示すものである。
【００１４】
このようにして立て型看板は、重石１ａ，１ｂを含む各構成によって安定して立て置きされて、両面から看板３ａ，３ｂが見られることとなる。
【実施例２】
【００１５】
図４は本考案の第２実施例であって、支柱２ａ，２ｂの上半を支えレール４ごと上下動して高さ調整をすることができるようにしたもので、これにより両面の看板３ａ，３ｂは高さを自由に調整することができるようになる。なお８は支柱２ａ，２ｂの上半を固定する止めネジである。その他の構成と作用は第１実施例と同じである。
【産業上の利用可能性】
【００１６】
本考案は両面看板を至極簡単に差し替え立てすることができることと高さの調整が自由にできることで広く利用されるものである。
【符号の説明】
【００１７】
１ａ，１ａは重石
２ａ，２ｂは支柱
３ａ，３ｂは両面の看板
４は支えレール
５は芯材
６は被せレール
７はネジ
８は止めネジ
【図１】
0003203942.tif 000003
【図２】
0003203942.tif 000004
【図４】
0003203942.tif 000005
【図３】
0003203942.tif 000006
(57)【要約】      （修正有）【課題】電球やろうそく等に使用する回転体で、安全に長時間使用する事が可能な回転体を提供する。【解決手段】風車１に、任意の開口及び空間を有している、溶けにくく、燃えにくい素材（例えば、アルミ、鉄、銅、耐熱ガラス等）からなる本体６が取り付けられ、本体６の前記空間内に発熱する光源となる電球３が配置されている。【選択図】図１
0003203992.tif 000002
【実用新案登録請求の範囲】
【請求項１】
風車部分に燃えにくく、溶けにくい素材で形成した物を取り付けた回転体。
【考案の詳細な説明】
【技術分野】
【０００１】本考案は電球やろうそく等に使用する回転体である。
【背景技術】
【０００２】回転円筒として、特許文献１に開示されたものが知られている。
しかし、これらは電球やろうそく等の上で回転する円筒が熱で溶けやすく燃えやすい問題があった。
【先行技術文献】
【特許文献】
【０００３】
【特許文献１】  実開平６−１３００７号公報
【考案の概要】
【考案が解決しようとする課題】
【０００４】回転円筒は、和紙、薄布、セロファン等で構成されており、電球やろうそく等の上昇気流の熱で溶けやすく燃えやすい問題があった。
【課題を解決するための手段】
【０００５】回転体を熱で溶けにくく、燃えにくい素材で構成した。
【考案の効果】
【０００６】回転体を溶けにくく、燃えにくい素材で作る事により、安全に長時間使用する事が可能になった。
【図面の簡単な説明】
【０００７】
【図１】図２をＡからＡ´で切った回転体の断面図
【図２】アルミ等の金属製の網を付けた回転体の正面図
【図３】シャンデリア調の細工を付けたの回転体の正面図
【図４】風車が正方形の回転体の正面図
【図５】ペンダント型電球の回転体の正面図
【考案を実施するための形態】
【０００８】風車に電球、ろうそく等の発熱する光源から上昇気流を送るための円筒部分を、溶けにくく、燃えにくい素材を風車に直接取り付けた回転体にすることにより、動きのある光と影を長時間、継続して安全に得られる。本考案に係る回転体は、ろうそく、置き型電球、壁面型電球、吊り下げ電球にも使用することが可能。
【実施例】
【０００９】以下、本考案を図面に示す実施例に基づいて説明する。図１は本考案の実施例を示し、図２のＡからＡ´で切った断面図。図２、図３、図４、図５は回転体のデザイン例である。
図１の基台７には電球ソケット５が固定されており、電球ソケット５には電球３が装着されている。電球３には、風車１を支えるための針状突起の受金４が取り付けてあり、これに風車１の中心の円錐状凹部２が載せられている。６は本体であり、いずれも溶けにくく、燃えにくい素材であり、風車１に直接取り付けられている。本体６は必ずしも筒状に限られるものではなく、任意の開口、空間を有している。電球ソケット７からは、電源コード８が導出されており、途中に電源スイッチ９を設けて図示しない電源コンセントに差しこまれる。スイッチ９を操作して電源を入れると電球３が点灯し、しばらくするとその熱による上昇気流によって、風車１が受金４の針状突起を支点として回転する。本体６に施された任意の開口、空間から光がこぼれ、外に現れる。ここに現れる光と影を直接、壁、床、天井に映すことはもとより、和紙や薄布のランプシェード、竹細工や陶器などでできた電気スタンドの内部で使用してもよい。
電源スイッチ９に市販の調光器を用いると光の明暗と発熱温度の高低を調節でき、映し出される影の濃淡と風車１の回転速度に変化がつき、幅広い演出効果が得られる。【００１０】回転体６は溶けにくく燃えにくい素材（例えばアルミ、鉄、銅、耐熱ガラス、クリスタル、宝石等）で構成されている。【００１１】回転体６の形状は図４の様に筒状に限られるものではなく、影を作り出す部分は格子、縦  縞、横縞、螺旋や図３のシャンデリア調の細工の様に任意の開口、空間を有している。【００１２】本考案の回転体６は、和紙、陶器、スチール、アルミ、銅、ガラス、竹や木製、ひょうたん等いかなる材質でできたランブ等の中で使用できる。【００１３】図５の回転体６は、風車１の凹部２を外し、ベアリング１０に変えることにより、天井１１から下がるペンダント型電球、ＬＥＤにも使用できる。
【符号の説明】
【００１４】（１）風車
（２）円錐状凹部
（３）電球
（４）受金
（５）電球ソケット
（６）溶けにくく、燃えにくい素材でできた本体
（７）基台
（８）電源コード
（９）スイッチ
（１０）ベアリング
（１１）天井
【図１】
0003203992.tif 000003
【図２】
0003203992.tif 000004
【図３】
0003203992.tif 000005
【図４】
0003203992.tif 000006
【図５】
0003203992.tif 000007
【手続補正書】
【提出日】平成27年12月17日(2015.12.17)
【手続補正１】
【補正対象書類名】明細書
【補正対象項目名】０００１
【補正方法】変更
【補正の内容】
【０００１】本考案は電球、ＬＥＤ電球やろうそく等に使用する回転体である。
【手続補正２】
【補正対象書類名】明細書
【補正対象項目名】０００２
【補正方法】変更
【補正の内容】
【０００２】回転円筒として、特許文献１に開示されたものが知られている。しかし、これらは電球、ＬＥＤ電球やろうそく等の上で回転する円筒が熱で溶けやすく、燃えやすい問題があった。
【手続補正３】
【補正対象書類名】明細書
【補正対象項目名】０００４
【補正方法】変更
【補正の内容】
【０００４】回転円筒は和紙、薄布、セロファン等で構成されており、電球、ＬＥＤ電球やろうそく等の上昇気流の熱で溶けやすく、燃えやすい問題があった。
【手続補正４】
【補正対象書類名】明細書
【補正対象項目名】０００８
【補正方法】変更
【補正の内容】
【０００８】風車に電球、ＬＥＤ電球やろうそく等の発熱する光源から上昇気流を送るための円筒部分を溶けにくく、燃えにくい素材を風車に直接取り付けた回転体にすることにより、動きのある光と影を長時間、継続して安全に得られる。本考案に係る回転体は、ろうそく、置き型電球、壁面型電球にも使用することが可能。
【手続補正書】
【提出日】平成28年2月12日(2016.2.12)
【手続補正１】
【補正対象書類名】実用新案登録請求の範囲
【補正対象項目名】全文
【補正方法】変更
【補正の内容】
【実用新案登録請求の範囲】
【請求項１】
風車に、任意の開口及び空間を有している、溶けにくく、燃えにくい素材からなる本体が取り付けられ、本体の前記空間内に発熱する光源が配置されている回転体。